(57)【要約】【課題】圃場における各区画の収穫評価が正確に行うことができるコンバインが要望されている。【解決手段】脱穀して得られた穀粒を貯蔵する穀粒タンク１５に供給される穀粒の少なくとも一部を受け入れる収量受け入れ口３２ａと、受け入れた穀粒を放出する収量放出口３２ｂと、収量放出口３２ｂを開閉する収量シャッタ３４とを有する収量測定容器３２と、収量シャッタ３４が閉鎖した状態において収量測定容器３２に所定容積の穀粒が貯留されたことを検知し、検知信号を出力する収量測定部と、検知信号に基づいて前記所定容積の穀粒の貯留に要する貯留時間を算定する時間算定部と、走行速度と貯留時間とに基づいて、単位走行当たりの収量である単位走行収量を算定する収量算定部とが備えられている。【選択図】図１
2014212749.tif 000002
【特許請求の範囲】
【請求項１】
走行しながら圃場から穀稈を刈り取り、刈取穀稈を脱穀し、得られた穀稈を穀粒タンクに貯留するコンバインにおいて、
前記穀粒タンクに供給される穀粒の少なくとも一部を受け入れる収量受け入れ口と、受け入れた穀粒を放出する収量放出口と、前記収量放出口を開閉する収量シャッタとを有する収量測定容器と、
前記収量シャッタが閉鎖した状態において前記収量測定容器に所定容積の穀粒が貯留されたことを検知し、検知信号を出力する収量測定部と、
前記検知信号に基づいて前記所定容積の穀粒の貯留に要する貯留時間を算定する時間算定部と、
走行速度と前記貯留時間とに基づいて、単位走行当たりの収量である単位走行収量を算定する収量算定部とを備えたコンバイン。
【請求項２】
前記収量放出口を通じて受け入れた穀粒を放出する食味放出口と前記食味放出口を開閉する食味シャッタとを有する食味測定容器と、前記食味シャッタが閉鎖した状態において前記食味測定容器に保持された穀粒の食味値を測定する食味測定部とが備えられている請求項１に記載のコンバイン。
【請求項３】
前記単位走行収量の算定に用いられた所定容積の穀粒の少なくとも一部が前記食味測定部による食味測定に用いられ、対応する前記単位走行収量と前記食味値とが前記圃場の特定位置で収穫された穀粒のデータセットとして関係づけられて記録される請求項２に記載のコンバイン。
【請求項４】
最初に刈り取られる穀稈を検出する株元センサによる穀稈検出時から穀粒が前記収量測定容器に到達するまでの処理時間と走行速度とに基づいて、前記データセットと前記特定位置とを整合する請求項３に記載のコンバイン。
【請求項５】
前記収量測定容器は、前記食味測定容器の測定時間の間に収量受け入れ口に供給される穀粒を貯留することができる容積を有する請求項２から４のいずれか一項に記載のコンバイン。
【請求項６】
前記収量測定容器と前記食味測定容器とは同軸状で一体的に形成された筒状体である請求項２から５のいずれか一項に記載のコンバイン。
【請求項７】
前記収量測定容器と前記食味測定容器とは、互いに独立して取り外し可能な別構造体である請求項２から５のいずれか一項に記載のコンバイン。
【請求項８】
前記単位走行収量として、単位面積当たりの収量が算定される請求項１から７のいずれか一項に記載のコンバイン。
【請求項９】
前記単位走行収量として、前記圃場から区分けされた単位区画当たりの収量が算定される請求項１から７のいずれか一項に記載のコンバイン。
【発明の詳細な説明】
【技術分野】
【０００１】
本発明は、走行しながら圃場から穀稈を刈り取り、刈取穀稈を脱穀し、得られた穀稈を穀粒タンクに貯留するコンバインに関する。
【背景技術】
【０００２】
穀粒タンクに収納された穀粒の重量測定や水分測定を行って、収穫される穀粒の収穫情報として出力するコンバインが提案されている。例えば、特許文献１によるコンバインでは、穀粒タンクに供給される穀粒のうちの一部を取り込んでその水分量を測定する水分測定装置及び穀粒タンクの荷重を検出するロードセルが備えられている。このコンバインによる収穫走行において、走行速度と走行時間と刈取り幅とから刈取り面積を算定するとともにこの刈取り面積当たりの穀粒重量の増加を算定することを繰り返して、圃場の区画単位の収量分布が出力される。しかしながら、穀粒タンクの荷重から穀粒重量の増加を測定する場合には、穀粒タンク自体の重さに比べて穀粒の重さは軽いので、穀粒重量の小さい増加量を正確に測定する測定機構を実現するには、大きなコスト負担をともなう。穀粒重量の小さい増加量を正確に測定できなければ、圃場の日当たりや施肥のばらつきなどを要因とする圃場の微小な区画の収穫不良を評価することが困難となる。
【０００３】
選別装置の調整制御のために、穀粒の単位時間当たりの収量を測定する収量検出装置を備えたコンバインが、特許文献２に開示されている。この収量検出装置は、筒体と筒体の下部口を開閉するシャッタと、筒体内部に設けられた感圧センサとからなり、感圧センサの位置まで穀粒が貯まる時間を計測し、その計測時間から穀粒の単位時間当たりの収量を算定する。このコンバインでは、選別装置を通過する単位時間当たりの穀粒量が大きいほど選別装置の処理量が大きくなるように選別装置を制御しているだけであるので、穀稈の生育状態（穀粒の実り状態）などと無関係に単位時間当たりの収量が変化する要因となるコンバインの走行速度などは考慮されていない。
【先行技術文献】
【特許文献】
【０００４】
【特許文献１】特開２００６−０８１４８８号公報（図５、図１４、図１７）
【特許文献２】特開平３−４７０１４号公報（３頁左下欄６行目−４頁右上欄２０行目、図１）
【発明の概要】
【発明が解決しようとする課題】
【０００５】
上記実情に鑑み、本発明による走行しながら圃場から穀稈を刈り取り、刈取穀稈を脱穀し、得られた穀稈を穀粒タンクに貯留するコンバインにおいて、圃場における各区画の収穫評価が正確に行うことができる技術が要望されている。
【課題を解決するための手段】
【０００６】
走行しながら圃場から穀稈を刈り取り、刈取穀稈を脱穀し、得られた穀粒を穀粒タンクに貯留する、本発明によるコンバインは、前記穀粒タンクに供給される穀粒の少なくとも一部を受け入れる収量受け入れ口と、受け入れた穀粒を放出する収量放出口と、前記収量放出口を開閉する収量シャッタとを有する収量測定容器と、前記収量シャッタが閉鎖した状態において前記収量測定容器に所定容積の穀粒が貯留されたことを検知し、検知信号を出力する収量測定部と、前記検知信号に基づいて前記所定容積の穀粒の貯留に要する貯留時間を算定する時間算定部と、走行速度と前記貯留時間とに基づいて、単位走行当たりの収量である単位走行収量を算定する収量算定部とを備えている。
【０００７】
この構成によれば、穀粒タンクに供給される穀粒が収量測定容器において規定されている所定量（容積）に達するまでの時間（貯留時間）が算定されるので、この時間とコンバインの走行速度とに基づいて所定容積の穀粒が収穫できる走行距離、言い換えると、単位走行当たりの収量である単位走行収量が算定される。つまり、圃場の微小区画における収量が得られる。その際、収量測定容器の収量受け入れ口が穀粒タンクに供給される穀粒を部分的にしか受け入れることができない場合には、受け入れることができる割合さえ予めわかっていれば、算定された貯留時間をその割合に基づいて調整することで、実際の単位走行収量を求めることができる。このような穀粒タンクへの供給量と受け入れ可能量との割合による算定方法を採用すれば、収量測定容器の穀粒蓄積容量を小さくすることができるので、その構造をコンパクトにすることができ、好都合である。また、単位走行収量の算定のために用いられる穀粒貯留容積が小さいことは、測定すべき重量も小さいものとなり、穀粒タンクも含めて貯留穀粒の重量を測定するような従来技術に比べて、正確な測定のために要求される条件は緩やかとなる。さらには、時間当たりに貯留される穀粒が占める容積によって収量を導くので、重量測定の際に生じる雨滴などの付着による誤差を回避することができる。
【０００８】
稲や麦などの収穫穀粒の情報としては、収量以外に、水分やタンパクなどの食味値も重要である。この食味値が圃場の微小区画毎に測定できると、日当たりや施肥状態などが食味値に与える影響を評価することができ、きめの細かい営農が可能となる。この微小区画毎の食味値の測定、いわゆる食味測定を、できるだけ簡単な構成で実現するため、本発明の好適な実施形態の１つでは、前記収量放出口を通じて受け入れた穀粒を放出する食味放出口と前記食味放出口を開閉する食味シャッタとを有する食味測定容器と、前記食味シャッタが閉鎖した状態において前記食味測定容器に保持された穀粒の食味値を測定する食味測定部とが備えられている。この構成では、収量測定容器を食味測定容器のための穀粒受け入れ部として用いるので、食味測定容器の構成を簡素にすることができる。
【０００９】
特に、単位走行収量の算定に用いられた所定容積の穀粒の少なくとも一部が前記食味測定部による食味測定に用いられるならば、単位走行収量の測定に用いられる穀粒と食味測定に用いられる穀粒とは、確実に同じ微小区画で収穫されたものとなる。したがって、それぞれの測定データを関係づけて１つのデータセットとして記録することで、圃場の微小区画ごとの収量と食味に関するデータがばらばらにならずに確実に蓄積される。
【００１０】
コンバインでは、測定対象となる穀粒の刈取り時点と、収量や食味の測定時点との間には時差が生じる。つまり、測定時点のコンバインの走行位置は、当該測定の穀粒が収穫された位置ではなく、その時差の間に走行した距離分だけずれていることなる。この問題を回避するため、本発明の好適な実施形態の１つでは、最初に刈り取られる穀稈を検出する株元センサによる穀稈検出時から穀粒が前記収量測定容器に到達するまでの処理時間と走行速度とに基づいて、前記データセットと前記特定位置とを、上記ずれがないように整合する。
【００１１】
通常の食味測定では、測定中の穀粒を一定時間だけ静止状態にしておく必要がある。このため、収量測定のために収量測定容器に貯留した穀粒を、そのまま次工程である食味測定に使用する場合には、食味測定の間に単位走行収量の測定のための穀粒の貯留を行うと効率が良い。その際、前記収量測定容器が、前記食味測定容器の測定時間の間に収量受け入れ口に供給される穀粒を貯留することができる容積を有していると、収量測定容器が満杯になって穀粒がこぼれ落ちることがないので好都合である。
【００１２】
収量測定容器と食味測定容器の両方を装備する場合、前記収量測定容器と前記食味測定容器とを同軸状で一体的に形成された筒状体で構成すると、構造が簡単化され、利点がある。
【００１３】
本発明によって算定される単位走行収量の１つの形態は、単位面積当たりの収量である。コンバインの刈取り幅と微小走行距離によって規定される単位面積当たりの収量を順次算定し、表示ないしは記録しておくことで、コンバインの走行による収量の変動、つまり圃場位置の変化と収量の変化を把握することができる。特に、その際のコンバインの走行軌跡を記録しておくことで、圃場の任意の位置の収量を評価することができる。
【００１４】
本発明によって算定される単位走行収量の他の１つの形態は、前記圃場から区分けされた単位区画当たりの収量である。特にその際、単位区画の一辺をコンバインの刈取り幅とするとともに、単位走行収量が得られる走行距離を単位区画の他辺とすれば、算定された単位走行収量がそのまま単位区画当たりの収量として利用することができ、データ処理上好都合である。
【図面の簡単な説明】
【００１５】
【図１】本発明の基本的な構成を説明する模式図である。
【図２】本発明のコンバインの実施形態の１つを示す側面図である。
【図３】図２によるコンバインの平面図である。
【図４】図２によるコンバインに搭載された収量測定部と食味測定部の模式図である。
【図５】図２によるコンバインに搭載された制御装置における収穫情報生成を説明するための機能ブロック図である。
【図６】収量測定におけるタイムチャートとシャッタの動きとを示すダイヤグラム図である。
【図７】時間当たりの収量算定の説明図である。
【図８】区画単位の収量算定の説明図である。
【図９】収量測定部と食味測定部との別実施形態を示す模式図である。
【発明を実施するための形態】
【００１６】
本発明によるコンバインの具体的な実施形態を説明する前に、図１を用いて本発明を特徴付けている基本原理を説明する。
図１の例では、コンバイン１が圃場を走行しながら麦や稲の穀稈を刈り取り、脱穀された穀粒がコンバイン１に搭載された穀粒タンク１５に貯蔵される。その際、このコンバイン１では、時間経過とともに穀粒タンク１５に供給される穀粒の量、つまり収量が測定される。さらには、その穀粒の食味（水分やタンパクなど）も測定可能である。
【００１７】
穀粒の収量測定のため、穀粒タンク１５には、この記穀粒タンクに供給される穀粒の少なくとも一部を受け入れる収量受け入れ口３２ａと、受け入れた穀粒を放出する収量放出口３２ｂと、前記収量放出口３２ｂを開閉する収量シャッタ３４とを有する収量測定容器３２が設けられている。収量測定容器３２は、刈取り作業の間に脱穀装置から穀粒タンク１５に連続的に送られてくる穀粒の流れに向かい合うように収量受け入れ口３２ａが配置されている。収量シャッタ３４は、収量測定容器３２の収量受け入れ口３２ａに対向する位置（ここでは鉛直方向で上下位置）に形成された収量放出口３２ｂを閉鎖する閉鎖姿勢と開放する姿勢との間で切替可能である。従って、収量シャッタ３４の閉鎖姿勢では、収量測定容器３２の内部に時間経過とともに穀粒が貯留されていく。収量測定容器３２には、収量測定容器３２に所定容積の穀粒が貯留されたことを検知し、所定容積穀粒の貯留を示す適量検知信号を出力する収量測定部が備えられている。収量シャッタ３４が閉鎖姿勢に切り替えられてから、上記検知信号が出力されるまでの時間が所定容積の穀粒の貯留に要する貯留時間となる。この貯留時間を算定し、その際のコンバイン１の走行速度を取得すれば、この走行速度と貯留時間に基づいて、単位走行当たりの収量である単位走行収量が算定される。コンバイン１の刈り取り走行の間、この単位走行収量の算定を繰り返すことで、コンバイン１の走行位置に対応させて単位走行収量を割り当てることができる。この走行位置に割り当てられた単位走行収量に基づいて、所定走行距離毎の収量、ないしは圃場を所定の大きさに分割して得られた所定区画毎の収量、つまり圃場における収量分布を求めることができる。
【００１８】
図１の例では、穀粒の流れ方向で収量測定容器３２の下方に食味測定容器３３が備えられている。この食味測定容器３３は、収量放出口３２ｂを受け入れ口とし、食味シャッタ３５によって開閉される食味放出口３２ｃを形成している。収量測定容器３２に所定容積の穀粒が貯留された状態で、食味シャッタ３５を閉鎖姿勢に切り替えるとともに収量シャッタ３４を開放姿勢にすると、収量測定容器３２に貯留された穀粒が食味測定容器３３の内部に一時的に保持される。この保持された穀粒の食味値（水分やタンパク）を測定する食味測定部が収量測定容器３２に備えられている。これにより、収量測定容器３２で収量測定された穀粒の食味も測定されることになる。なおその際、貯留された穀粒が多すぎる場合には、食味シャッタ３５を閉鎖姿勢にするタイミングを調整することにより、貯留された穀粒の一部を食味測定の対象とすることも可能である。つまり、単位走行収量の算定に用いられた所定容積の穀粒の少なくとも一部が前記食味測定部による食味測定に用いられるので、また収量測定容器３２に穀粒を残留させないようにすることができるので、対応する単位走行収量と食味値とを圃場の特定位置で収穫された穀粒のデータセットとして関係づけることができる。コンバイン１の刈り取り走行の間、このデータセットを繰り返し取得することで、圃場における収量と食味との分布を評価するための収穫情報が生成され、コンバイン１や遠隔地のサーバに記録される。
【００１９】
特定刈取り領域（圃場区画）に対してその領域で収穫された穀粒の収量と食味を割り当てるためには、穀稈の刈取りからその穀粒に対する測定までの時間的な遅れを考慮する必要がある。この遅れ時間は、最初に刈り取られる穀稈の株元センサによる検出時から穀粒が収量測定容器３２に到達するまでの処理時間とその時のコンバイン１の走行速度とに基づいて算定することができる。算定された遅れ時間を用いることで、収量と食味からなるデータセットに割り当てられる特定位置とを正確に整合することができる。
【００２０】
次に、図面を用いて、本発明によるコンバインの具体的な実施形態の１つを説明する。図２は、コンバイン１の側面図であり、図３はコンバイン１の側面図である。
【００２１】
コンバイン１は、溝形材や角パイプ材などの複数の鋼材を連結した機体フレーム１０を備えている。機体フレーム１０の下部には左右一対のクローラ１１を装備している。機体フレーム１０における右半部の前側には、エンジンＥが搭載され、その上部に運転部１３が形成されている。運転部１３には、運転席１６や操縦レバー１７などが配置されている。機体フレーム１０における左側の前端部には、作業走行時に機体の前方に位置する収穫対象の作物穀稈を刈り取って後方に搬送する刈取部１２が備えられている。機体フレーム１０の左半部には、刈取部１２によって搬送された刈取穀稈を受け取って後方に搬送しながら刈取穀稈の着粒部に脱穀処理を施し、この脱穀処理で得た穀粒に選別処理を施す脱穀装置１４が搭載されている。機体フレーム１０における右半部の後側には、脱穀装置１４からスクリュ揚送式の供給コンベヤ３０を介して揚送搬出した穀粒を貯留する板金製の穀粒タンク１５が搭載されている。穀粒タンク１５には、穀粒タンク１５に貯留した穀粒を機外へ排出する穀粒排出装置１９が装備されている。図２と図３では、模式的にしか示されていないが、穀粒タンク１５の内部に、穀粒の収量を測定する収量測定部２１と、穀粒の食味を測定する食味測定部２２が配置されている。
【００２２】
図４で模式的に示されているように、収量測定と食味測定は、穀粒タンク１５の内部に設けられた収量測定容器３２と食味測定容器３３とに投入口１５ａから入ってくる穀粒によって行われる。この実施形態では、図４に示されているように、穀粒タンク１５の側壁に設けられた筒状体３１の上半分が収量測定容器３２として用いられ、筒状体３１の下半分が食味測定容器３３として用いられる。つまり、収量測定容器３２と食味測定容器３３とは収量測定容器３２の下に食味測定容器３３が位置する状態で、筒状体３１として一体的に形成されている。筒状体３１の上側開口が収量測定容器３２の収量受け入れ口３２ａとして機能する。収量測定容器３２の下端となる収量放出口３２ｂには収量シャッタ３４が設けられている。収量シャッタ３４は、筒状体３１の内部空間を横断方向で遮断する閉鎖姿勢と穀粒の内部空間の通過を許す開放姿勢との間でアクチュエータ３４ａによって搖動可能である。収量測定容器３２と食味測定容器３３とは上下方向で連続して形成されているので、収量放出口３２ｂは食味測定容器３３の食味受け入れ口として機能する。食味測定容器３３の下端となる食味放出口３３ｂにも、食味シャッタ３５が設けられている。食味シャッタ３５も、筒状体３１の内部空間を横断方向で遮断する閉鎖姿勢と穀粒の内部空間の通過を許す開放姿勢との間でアクチュエータ３５ａによって搖動可能である。
【００２３】
収量測定容器３２の収量受け入れ口３２ａは、脱穀装置１４から供給コンベヤ３０によって搬送され、羽根車によって穀粒タンク１５への投入口１５ａから放出された穀粒の一部が到達する位置に配置されている。したがって、収量シャッタ３４が閉鎖姿勢に搖動すると、投入口１５ａから飛翔してくる穀粒が収量受け入れ口３２ａを通じて収量測定容器３２に入り、収量放出口３２ｂを閉鎖している収量シャッタ３４上に貯留され始める。収量測定容器３２には、収量測定部２１として近接センサが設けられており、収量測定容器３２の所定量の穀粒が貯留されると適量検知信号を出力する。
【００２４】
所定量の穀粒を貯留した収量測定容器３２の収量シャッタ３４が開放姿勢に搖動すると、収量測定容器３２に貯留されていた穀粒が食味測定容器３３に流れ込む。その際、食味シャッタ３５が閉鎖姿勢にあると、食味測定容器３３に穀粒が保持される。食味測定容器３３には食味測定部２２が設けられているので、保持された穀粒の食味が測定される。この実施形態では、食味測定部２２において分光分析が用いられており、穀粒水分値やタンパク値の測定が可能である。食味測定部２２からは、穀粒成分である水分やタンパクに関する測定値、さらにはそれらの成分比から求められる食味演算値などのうちの少なくとも１つは含む食味値を出力することができる。
【００２５】
このコンバイン１における収量測定と食味測定に関する制御系を説明するための機能ブロック図が図５に示されている。この制御系は、実質的には図１で示された基本原理に基づくものである。コンバイン１に搭載された制御システム５に構築されている、本発明に特に関係する機能部は、走行制御ＥＣＵ（電子制御ユニット）５３と作業装置ＥＣＵ５４と測定評価モジュール５０であり、実質的にはプログラムの実行によって実現する機能であるが、場合によっては、部分的にハードウエアが用いられる。これらの機能部は、車載ＬＡＮによって相互に接続されている。また、測定評価モジュール５０は、穀粒タンク１５に備えられている収量測定部２１、食味測定部２２、収量シャッタ３４、食味シャッタ３５と接続されている。
【００２６】
走行制御ＥＣＵ５３は、車両走行に関する種々の制御情報を取り扱うＥＣＵであり、例えば、車載ＬＡＮを通じて、図示されていないセンサ管理モジュールから取得した、走行速度、走行距離、走行軌跡、エンジン回転数、燃費などのデータを走行情報化する機能を備えている。作業装置ＥＣＵ５４は、刈取部１２や脱穀装置１４などの刈取り収穫装置を制御するＥＣＵであり、各種装置の操作状態や稼働状態を示すデータを作業情報化する機能を備えている。なお、実際の穀稈刈取り作業の実行を検知する株元センサ１２ａからの信号は、作業装置ＥＣＵ５４を経由して測定評価モジュール５０に転送される。さらに、図示されていないが、この制御システム５には、モニタやメータパネルにおける情報表示を制御する表示ＥＣＵや外部機器（遠隔地のサーバを含む）との間でデータ交換を行う通信ＥＣＵが備えられている。
【００２７】
測定評価モジュール５０には、シャッタ制御部５１、時間算定部５５、収量算定部５６、収穫情報生成部５７、収穫評価部５８が含まれている。シャッタ制御部５１は、収量シャッタ３４と食味シャッタ３５とを、閉鎖姿勢または開放姿勢のいずれかに切り替え制御する。時間算定部５５は、収量シャッタ３４が閉鎖姿勢に切り替えられてから予め定められている所定量の穀粒が収量測定容器３２に貯留するまでの時間（収量測定部２１から適量検知信号が入力されるまでの時間）である貯留時間を算定する。収量算定部５６は、貯留時間と所定量とから単位走行時間当たりの収量、あるいは所定量と貯留時間と走行速度とから単位走行距離当たりの収量を算定することができる。走行距離当たりの収量は、コンバイン１の走行距離が測定されている場合には、貯留時間内で測定された直接走行距離と所定量とから直接算定することもできる。これらの時間当たりの収量及び走行距離当たりの収量は、本発明における単位走行当たりの収量である単位走行収量の形態の一つである。
【００２８】
収穫情報生成部５７は、食味測定部２２から得られる食味データと収量算定部５６から得られる収量データ（走行単位収量）、走行制御ＥＣＵ５３から得られる走行距離ないしは走行位置などの走行データをリンクして、測定毎に収穫情報を生成する。その際、測定対象となった穀粒の測定時点と当該穀粒が収穫された時点とは、時間差（遅れ時間）があるので、これを調整する必要がある。この時間差は、収穫作業開始時に株元センサ１２ａが穀稈を検出して時からその穀稈から脱穀された穀粒が穀粒タンク１５に到達するまでの時間を算定することで得られる。収穫評価部５８は、収穫情報生成部５７で生成された収穫情報を、圃場を分割して得られる圃場区画に割り当てて、収量及び食味の圃場分布情報を生成する。なお、この収穫評価部５８を外部のコンピュータに構築し、収穫情報生成部５７から通信回線を介してその収穫評価部５８に収穫情報を送るような形態を採用してもよい。また、収穫情報生成部５７と収穫評価部５８とを統合し、いずれか１つの機能ないしは両方の機能を持たせるような構成を採用してもよい。
【００２９】
次に、図６で図示されている、タイムチャート、収量測定容器３２及び食味測定容器３３の状態変移を用いて、収量測定及び食味測定における制御の流れの一例を説明する。
刈取り作業が始まっていない初期状態では、収量シャッタ３４と食味シャッタ３５は開放姿勢となっている。刈取り作業が始まって、穀粒が穀粒タンク１５に放出されるタイミングとなると、収量シャッタ３４が閉鎖姿勢に切り替わって、収量測定容器３２への穀粒の貯留が始まる。同時に時間算定部５５による時間計測（計数信号の生成）がスタートする。収量測定容器３２での穀粒貯留量が所定量に達すると、収量測定部２１としての近接センサ２１が作動し、適量検知信号が生じる。
【００３０】
この適量検知信号の発生をトリガーとして、時間算定部５５による時間計測がストップするとともに、収量シャッタ３４が開放姿勢に切り替わり、食味シャッタ３５が閉鎖姿勢に切り替わる。時間算定部５５による時間計測値は所定量の穀粒が収量測定容器３２に貯留するまでの時間（図６では、ｔ1で表されている）である。ここで、所定量をｑとすれば、ｑ／ｔ1で単位時間当たりの収量が得られる。
【００３１】
収量シャッタ３４の開放姿勢への切り替わりと食味シャッタ３５の閉鎖姿勢への切り替わりにより、収量測定容器３２に貯留されていた穀粒が食味測定容器３３に移動する。なお、食味シャッタ３５は予め閉鎖姿勢への切り替えられていてもよい。
【００３２】
収量シャッタ３４が開放姿勢への切り替わり、収量測定容器３２の穀粒が全て食味測定容器３３に移動したタイミングで、収量シャッタ３４は再び閉鎖姿勢に戻り、収量測定容器３２に穀粒が貯留し始める。同時に時間算定部５５による時間計測（計数信号の生成）がスタートする。食味測定容器３３では、食味測定が開始される。穀粒に照射した光ビームの波長解析を通じて水分の値やタンパクの値を測定する。食味測定のために必要な測定時間は数秒から数十数秒程度である。
【００３３】
食味測定が終了すると、食味シャッタ３５が開放姿勢に切り替えられ、食味測定容器３３内の穀粒が穀粒タンク１５に放出される。収量測定容器３２における上記の所定貯留量は、この食味測定の間に収量測定容器３２に流れ込む穀粒を受け入れることができる量以上となっている。再び、収量測定容器３２での穀粒貯留量が所定量に達することで、適量検知信号が発生すると、前述したように、時間算定部５５による時間計測がストップするとともに、収量シャッタ３４が開放姿勢に切り替わり、食味シャッタ３５が閉鎖姿勢に切り替わる。2回目の収量測定における貯留時間は、図６では、ｔ2で表されている。このようにして、刈取り作業の間、時間当たりの収量と食味値が求められていく。
【００３４】
圃場の位置、つまり圃場を微小に分割した区画によって、稲や麦などの作物の成育状態は異なるので、上記のようにして順次求められていく時間当たりの収量は、圃場の位置によって変動する。図７で、このことが模式的に示されている。ここでは、Ｔ1、Ｔ2・・・は、各回の収量測定（時間計測）が終了した時点から、刈取部１２から収量測定部２１まで穀粒が搬送される時間（つまり前述した遅れ時間）だけさかのぼった時間（その穀粒を圃場から収穫した時点）を示している。Ｐ1、Ｐ2・・・は、その時点でのコンバイン１の圃場における位置ないしは作業開始からの走行距離である。各回の収量測定によって求められる時間当たり収量：Δｑは、所定量：ｑを時間算定部５５による時間計測値：ｔで割った値である。図７から明らかなように、ここでは、ある回：nの測定終了時点：Ｐn（Ｔn）で求められた時間当たり収量：Δｑn（Δｑ1、Δｑ2・・・）は、前回：n-1の測定時点Ｐn-1（Ｔn-1）から今回までの圃場微小領域で有効とみなしている。したがって、順次得られた時間当たり収量：Δｑ1、Δｑ2・・・から、圃場の任意の区画における収量が算定可能となる。
これに代えて、ある時点：Ｐn（Ｔn）で求められた時間当たり収量：Δｑnを、ある時点で：Ｐn（Ｔn）の前後の１／２区画領域に適応させるような方法を採用してもよいし、ある時点：Ｐn（Ｔn）で求められた時間当たり収量：Δｑnを次の測定結果が得られる時点：Ｐn+1（Ｔn+1）までの領域に適応させるような方法を採用してもよい。
【００３５】
図８には、刈取り作業の間、このようにして得られた時間当たり収量：Δｑ1、Δｑ2・・・と、そして同時に得られる食味測定値を、圃場区画に割り当てて、収量と食味の分布データを作成する様子が模式化して示されている。
区画01では、時点Ｔ1と時点Ｔ2に対応する位置Ｐ1と位置Ｐ2が含まれており、時点Ｔ01で区間01から区間02に移行している。上述したように、区間01において、位置Ｐ1までの区間には時間当たり収量としてΔｑ1が割り当てられ、位置Ｐ1から位置Ｐ2までの区間には時間当たり収量としてΔｑ2が割り当てられる。さらに、位置Ｐ2から残りの区間には時間当たり収量としてΔｑ3が割り当てられる。したがって、区間01における収量：Ｑ01は、次のように算出される。
Ｑ01＝Ｑ1＋Ｑ2＋Ｑ31、ここで
Ｑ1＝Δｑ1×（Ｔ1−Ｔ0）、
Ｑ2＝Δｑ2×（Ｔ2−Ｔ1）、
Ｑ31＝Δｑ2×（Ｔ2−Ｔ1）。
なお、この実施形態では、収量Ｑ1とＱ2とＱ3の算定に用いられた貯留穀粒に対して食味測定も行われ、それぞれの食味値Ｓ1とＳ2とＳ3が得られているので、その平均を求めて、区間01における食味値Ｓ01を求めることができる。その際、区間01におけるＳ3の占める割合は他の２つの比べて小さくなっているので、その分の重みを考慮した重み平均を採用してもよい。
【００３６】
求められた収量：Ｑ01と食味値：Ｓ01と区間01を示すＩＤ（ここでは01とする）とをリンクしたデータセット：[Ｑ01,Ｓ01, 01]が収穫情報として、圃場区画マップに割り当てられる。このように各区画に割り当てられた収穫情報は、収量や食味の分布グラフなどの形態で、視覚化することができる。
【００３７】
なお、ここでは、説明を簡単にするため、コンバイン１の刈取り幅を単位区画の一辺とするとともに、単位走行距離を単位区画の他辺としているので、単位走行収量をそのまま単位区画当たりの収量として取り扱っている。しかしながら、単位区画の一辺がコンバイン１の刈取り幅より大きく、コンバイン１が１つの単位区画を複数回作業走行するような場合には、コンバイン１の走行軌跡に基づいて、各区画の収量は、複数回分の走行での収量を積算して求めることになる。
【００３８】
〔別実施の形態〕
（１）上述した実施形態では、収量測定容器３２と食味測定容器３３が同じ筒状体３１の異なる位置に形成され、一体的な構造となっていたが、収量測定容器３２と食味測定容器３３とが互いに独立した別構造体であってもよい。その際の簡単な構成の一例は、収量測定容器３２のための筒状体３１と味測定容器３３の筒状体３１とを備え、それぞれ独立した収量測定容器３２と食味測定容器３３とを形成することである。その際、収量シャッタ３４を含む収量測定容器３２と、食味シャッタ３５を含む食味測定容器３３とをそれぞれ個別に取り付け・取り外し可能な構成とすれば、収量測定容器３２と食味測定容器３３とが一体的な構成のものに比べて、故障時における取り外し作業や取り付け作業が簡単となり、保守点検コストが少なくなる。
また、収量測定だけが必要な場合には、収量測定容器３２と収量シャッタ３４と収量測定部２１だけとし、食味測定容器３３と食味シャッタ３５と食味測定部２２を省略することができる。
（２）上述した実施形態では、図４で示すように、収量測定容器３２に受け入れられる穀粒は、供給コンベヤ３０によって搬送されてくる穀粒の一部であるので、収量測定容器３２に受け入れられる穀粒と受け入れられない穀粒との割合を求めておき、その割合に基づいて測定収量から実収量を算定する必要がある。これを避けるために、供給コンベヤ３０によって搬送されてくる穀粒の全量を収量測定容器３２に一旦受け入れられるような構成を採用してもよい。
（３）上述した実施形態では、図６のタイムチャートに示されているように、収量測定及び食味測定は、ほぼ連続的に行われていたが、各測定の間隔をより長くしてもよい。あるいは、各測定の間隔を作業状態に応じて変動できるようにしてもよい。
（４）上述した実施形態では、測定評価モジュール５０はコンバイン１の制御システム５に組み込まれている。これに代えて、測定評価モジュール５０を、コンバイン１に持ち込まれるタブレットコンピュータやスマートフォンなどの携帯通信機器のプログラムとして構築してもよい。その際、制御システム５及び収量測定部２１や食味測定部２２からの必要とするデータは、コンバイン１の車載ＬＡＮに装備されたＬＡＮアダプタを介して携帯通信機器に無線伝送するようにするとよい。特にスマートフォンは、ほとんどの運転者に所有されており、かつ遠隔地との間で通信回線を用いたデータ伝送機能も標準機能として備えられているので、作成された収穫情報を管理センタのコンピュータシステムに転送し、そこで記録することも容易であり、好適である。
（５）上述した実施形態では、収量測定部２１として近接センサが用いられていたが、収量測定容器３２に所定量の穀粒が貯留されたことを検出することができる他のセンサやスイッチを用いてもよい。なお、このような収量測定部２１として用いられるセンサやスイッチを用いて、収量測定容器３２における穀粒の空検出を行い、収量シャッタ３４の開放による貯留穀粒の放出確認を行うようにしてもよい。同様な目的で、そのようなセンサやスイッチを食味測定容器３３にも設け、食味測定容器３３における穀粒の空検出や、場合によっては適量検出を行うようにしてもよい。
（６）上述した実施形態では、食味測定部２２として光学式のものが用いられたが、他の形式、例えば破砕式などを用いてもよい。
（７）上述した実施形態では、図４の（ｂ）などに示されているように、穀粒タンク１５の側壁に沿って収量測定容器３２及び食味測定容器３３が形成され、さらに収量測定容器３２及び食味測定容器３３のタンク内部側の側面に収量シャッタ３４及び食味シャッタ３５のそれぞれのアクチュエータ３４ａ及び３５ａが設けられている。また、食味測定部３３は穀粒タンク１５の側壁に貫通部を設けて、側壁の内外にわたって取り付けられている。この構成に代えて、図９に示すように、収量シャッタ３４及び食味シャッタ３５のそれぞれのアクチュエータ３４ａ及び３５ａが穀粒タンク１５の側壁に設けられてもよい。その際、図９の例では、穀粒タンク１５の側壁に貫通部を設けて、アクチュエータ３４ａ及び３５ａが側壁の内側と外側とにわたって取り付けられている。そして、食味測定部３３が食味測定容器３３の穀粒タンク１５の側壁とは反対側の側面に設けられている。さらに、図９に示された別実施形態では、収量測定部２１は、近接センサなどではなく、二重底板構造にした収量シャッタ２１の２つの底板の間に配置されたロードセルによって収量シャッタ２１に貯留されている穀粒の重量を測定するような構成にしてもよい。このような場合、重量から収量（容積）を換算する際には、穀粒の水分値によって水分補正を行うと、より正確な収量を得ることができる。
【産業上の利用可能性】
【００３９】
本発明は、走行しながら圃場から刈り取った穀稈を脱穀して得られた穀粒を貯蔵する穀粒タンクを備えた、各種コンバインに適用可能である。
【符号の説明】
【００４０】
１：コンバイン
１２：刈取部
１４：脱穀装置
１５：穀粒タンク
２１：収量測定部（近接スイッチ）
２２：食味測定部
３０：供給コンベヤ
３１：筒状体
３２：収量測定容器
３２ａ：収量受け入れ口
３２ｂ：収量放出口（食味受け入れ口）
３３：食味測定容器
３３ｂ：食味放出口
３４：収量シャッタ
３５：食味シャッタ
５１：シャッタ制御部
５３：走行制御ＥＣＵ
５４：作業装置ＥＣＵ
５５：時間算定部
５６：収量算定部
５７：収穫情報生成部
５８：収穫評価部
【図１】
2014212749.tif 000003
【図２】
2014212749.tif 000004
【図３】
2014212749.tif 000005
【図４】
2014212749.tif 000006
【図５】
2014212749.tif 000007
【図６】
2014212749.tif 000008
【図７】
2014212749.tif 000009
【図８】
2014212749.tif 000010
【図９】
2014212749.tif 000011